【手続補正書】
【提出日】平成20年3月31日(2008.3.31)
【手続補正１】
【補正対象書類名】明細書
【補正対象項目名】発明の名称
【補正方法】変更
【補正の内容】
【発明の名称】タッチ位置決定装置およびタッチ位置決定方法
【手続補正２】
【補正対象書類名】明細書
【補正対象項目名】特許請求の範囲
【補正方法】変更
【補正の内容】
【特許請求の範囲】
【請求項１】  タッチパネルに対するタッチ状態を検出座標として出力する座標検出手段と、
前記検出座標に基づくタッチ位置情報を記憶する記憶手段と、
前記座標検出手段の検出座標が変化したとき、座標検出手段が検出した検出座標、および前記記憶手段に記憶されたタッチ位置情報に基づいて、タッチパネルに対する追加タッチ位置座標を算出する演算手段とを備えることを特徴とするタッチ位置決定装置。
【請求項２】  前記記憶手段は、座標検出手段の検出座標が変化する直前の検出座標と、少なくとも３点の過去のタッチ位置座標とを記憶可能であることを特徴とする請求項１記載のタッチ位置決定装置。
【請求項３】  前記演算手段は、前記座標検出手段が検出した検出座標をタッチ位置の重心座標として追加タッチ位置座標を算出することを特徴とする請求項１または２記載のタッチ位置決定装置。
【請求項４】  タッチパネルに対するタッチ状態を検出座標として出力する座標検出ステップと、
前記検出座標ステップに基づくタッチ位置座標を記憶部に記憶し、
検出座標が変化したとき、座標検出手段が検出した検出座標と、記憶部に記憶されたタッチ位置座標に基づいて、タッチパネルに対する追加タッチ位置座標を算出してタッチ位置を決定することを特徴とするタッチ位置決定方法。
【請求項５】  座標検出ステップにて検出した検出座標を、タッチ位置の重心座標として追加タッチ位置座標を算出することを特徴とする請求項４記載のタッチ位置決定方法。
【手続補正３】
【補正対象書類名】明細書
【補正対象項目名】０００１
【補正方法】変更
【補正の内容】
【０００１】
【発明の属する技術分野】
本発明は、抵抗膜方式のタッチパネルを用いたタッチ位置決定装置、およびタッチ位置決定方法に関する。
【手続補正４】
【補正対象書類名】明細書
【補正対象項目名】０００９
【補正方法】変更
【補正の内容】
【０００９】
したがって本発明の目的は、実際のキーボードと同様の自然な入力操作を実現できるタッチ位置決定装置およびタッチ位置決定方法を提供することである。
【手続補正５】
【補正対象書類名】明細書
【補正対象項目名】００１０
【補正方法】変更
【補正の内容】
【００１０】
【課題を解決するための手段】
本発明は、タッチパネルに対するタッチ状態を検出座標として出力する座標検出手段と、
前記検出座標に基づくタッチ位置情報を記憶する記憶手段と、
前記座標検出手段の検出座標が変化したとき、座標検出手段が検出した検出座標、および前記記憶手段に記憶されたタッチ位置情報に基づいて、タッチパネルに対する追加タッチ位置座標を算出する演算手段とを備えることを特徴とするタッチ位置決定装置である。
【手続補正６】
【補正対象書類名】明細書
【補正対象項目名】００１１
【補正方法】変更
【補正の内容】
【００１１】
本発明に従えば、たとえば表示装置にキーボードを表示させた状態で、その表示装置に表示画面上に配置されるタッチパネルを介して視認されるキーボードのキーを１箇所または複数箇所タッチすると、座標検出手段によってタッチパネルの表面のタッチ状態に対応する１点の検出座標が演算手段に与えられ、演算手段は前記検出座標と記憶手段に記憶される前回のタッチ位置座標とに基づいて、タッチパネルを実際にタッチした追加のタッチ位置座標を算出するので、シフトキーなどの特別キーと英数字キーなどの一般キーとを同時にタッチしたときだけでなく、複数の一般キーを同時にタッチしたときでも、タッチした位置のタッチ位置座標を算出することができる。
【手続補正７】
【補正対象書類名】明細書
【補正対象項目名】００１２
【補正方法】変更
【補正の内容】
【００１２】
また本発明は、前記記憶手段は、座標検出手段の検出座標が変化する直前の検出座標と、少なくとも３点の過去のタッチ位置座標とを記憶可能であることを特徴とする。
【手続補正８】
【補正対象書類名】明細書
【補正対象項目名】００１３
【補正方法】変更
【補正の内容】
【００１３】
本発明に従えば、記憶手段は座標検出手段の検出座標が変化する直前の検出座標と、少なくとも３点の過去のタッチ位置座標とを記憶可能であるので、たとえば特別キーをタッチしながら一般キーをタッチする入力操作において、一般キーが２つ同時にタッチされる場合、すなわち３つのキーが同時にタッチされる場合でも、演算手段は前記記憶手段に記憶されるタッチ状態が変化する直前の検出座標と、過去のタッチ位置座標とに基づいて、タッチ位置のタッチ位置座標を正確に算出することができる。
【手続補正９】
【補正対象書類名】明細書
【補正対象項目名】００１４
【補正方法】変更
【補正の内容】
【００１４】
また本発明は、前記演算手段は、前記座標検出手段が検出した検出座標をタッチ位置の重心座標として追加タッチ位置座標を算出することを特徴とする。
【手続補正１０】
【補正対象書類名】明細書
【補正対象項目名】００１５
【補正方法】変更
【補正の内容】
【００１５】
本発明に従えば、タッチパネルを複数箇所タッチされたとき、演算手段は、座標検出手段によって検出された検出座標を重心座標として、追加のタッチ位置座標を算出するので、前記検出座標と過去の実座標とに基づいて、タッチ位置を正確に算出することができる。
【手続補正１１】
【補正対象書類名】明細書
【補正対象項目名】００１６
【補正方法】変更
【補正の内容】
【００１６】
また本発明は、タッチパネルに対するタッチ状態を検出座標として出力する座標検出ステップと、
前記検出座標ステップに基づくタッチ位置座標を記憶部に記憶し、
検出座標が変化したとき、座標検出手段が検出した検出座標と、記憶部に記憶されたタッチ位置座標に基づいて、タッチパネルに対する追加タッチ位置座標を算出してタッチ位置を決定することを特徴とするタッチ位置決定方法である。
【手続補正１２】
【補正対象書類名】明細書
【補正対象項目名】００１７
【補正方法】変更
【補正の内容】
【００１７】
本発明に従えば、たとえば表示装置にキーボードを表示させた状態で、その表示装置に表示画面上に配置されるタッチパネルを介して視認されるキーボードのキーを１箇所または複数箇所タッチすると、座標検出手段によってタッチパネルの表面のタッチ状態に対応する１点の検出座標が出力され、前記検出座標と記憶部に記憶される前回のタッチ位置座標とに基づいて、タッチパネルを実際にタッチした位置の位置座標を算出するので、シフトキーなどの特別キーと英数字キーなどの一般キーとを同時にタッチしたときだけでなく、複数の一般キーを同時にタッチしたときでも、タッチした位置のタッチ位置座標を算出することができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
また本発明は、座標検出ステップにて検出した検出座標を、タッチ位置の重心座標として追加タッチ位置座標を算出することを特徴とする。
【手続補正１６】
【補正対象書類名】明細書
【補正対象項目名】００２１
【補正方法】変更
【補正の内容】
【００２１】
本発明に従えば、タッチパネルを１個または複数個タッチされたとき、座標検出手段によって検出されるタッチパネルの表面のタッチ状態に対応する１点の検出座標は、タッチパネルの実際のタッチ位置のタッチ位置座標の重心付近であるので、前記検出座標と過去のタッチ位置座標とに基づいて、タッチ状態が変化した後にタッチされた追加タッチ位置座標を算出することができる。
【手続補正１７】
【補正対象書類名】明細書
【補正対象項目名】００６６
【補正方法】変更
【補正の内容】
【００６６】
【発明の効果】
以上のように本発明によれば、座標検出手段から１点の検出座標が演算手段に与えられ、演算手段は前記検出座標と記憶手段に記憶される前回のタッチ位置座標とに基づいて、タッチパネルを実際にタッチした位置のタッチ位置座標を算出するので、シフトキーなどの特別キーと英数字キーなどの一般キーとを同時にタッチしたときだけでなく、複数の一般キーを同時にタッチしたときでも、タッチした位置のタッチ位置座標を算出することができる。これによって複数の一般キーがタッチされた場合でも、正確にタッチされた位置が算出されるので、実際のキーボードと同様な自然かつ高速な入力操作を行うことができる。
【手続補正１８】
【補正対象書類名】明細書
【補正対象項目名】００６７
【補正方法】変更
【補正の内容】
【００６７】
また本発明によれば、特別キーをタッチしながら一般キーをタッチする入力操作において、一般キーが２つ同時にタッチされる場合、すなわち３つのキーが同時にタッチされる場合でも、タッチ状態が変化する直前の検出座標と過去のタッチ位置座標とに基づいて、タッチ位置の座標を正確に算出することができる。これによって実際のキーボードと同様の入力操作を行うことができる。
【手続補正１９】
【補正対象書類名】明細書
【補正対象項目名】００６８
【補正方法】変更
【補正の内容】
【００６８】
また本発明によれば、タッチパネルが複数箇所タッチされたとき、座標検出手段によって検出された１点の検出座標は、タッチパネルの実際のタッチ位置の位置座標の重心付近であるので、前記検出座標と過去の複数の位置座標とに基づいて、タッチ位置のタッチ位置座標を正確に算出することができる。これによって実際のキーボードと同様の入力操作を行うことができる。
【手続補正２０】
【補正対象書類名】明細書
【補正対象項目名】００６９
【補正方法】変更
【補正の内容】
【００６９】
また本発明によれば、タッチパネルを１箇所または複数箇所タッチすると、検出座標と記憶部に記憶される前回のタッチ位置座標とに基づいて、タッチパネルを実際にタッチまたは離反した位置のタッチ位置座標を算出するので、シフトキーなどの特別キーと英数字キーなどの一般キーとを同時にタッチしたときだけでなく、複数の一般キーを同時にタッチしたときでも、タッチした位置のタッチ位置座標を求めることができる。これによって複数の一般キーがタッチされた場合でも、正確にタッチされた位置のタッチ位置座標が算出されるので、実際のキーボードと同様な自然かつ高速な入力操作を行うことができる。
【手続補正２１】
【補正対象書類名】明細書
【補正対象項目名】００７０
【補正方法】削除
【補正の内容】
【手続補正２２】
【補正対象書類名】明細書
【補正対象項目名】００７１
【補正方法】変更
【補正の内容】
【００７１】
また本発明によれば、タッチパネルが１箇所または複数箇所タッチされたとき、検出されたタッチパネルの表面のタッチ状態に対応する１点の検出座標は、タッチパネルの実際のタッチ位置の位置座標の重心付近であるので、前記検出座標と過去の複数の位置座標とに基づいて、タッチ位置の位置座標を正確に算出することができる。これによって実際のキーボードと同様の入力操作を行うことができる。